(57)【特許請求の範囲】
【請求項１】
冷蔵庫、特に、少なくとも冷蔵室（７）と、冷凍庫（１１）と、少なくとも２つの吸入口（１２、１３）を有する往復圧縮器（１）とを含む家庭用冷蔵庫の冷却システムにおいて、
前記冷蔵室（７）は、第１の膨張装置（５）と第１の蒸発器（６）とを順次担持するともに、前記往復圧縮器（１）の第１の吸入口（１２）と連結される第１の冷媒管路（４）を備え、
前記冷凍庫（１１）は、第２の膨張装置（９）と第２の蒸発器（１０）とを順次担持するとともに、前記往復圧縮器（１）の第２の吸入口（１３）と連結される第２の冷媒管路（８）を備えた、冷却システムであって、
前記第１の吸入口（１２）は第１の吸入弁（１４）を有し、前記第２の吸入口（１３）は第２の吸入弁（１５）を有し、
前記第１の吸入口（１２）および前記第２の吸入口（１３）は、シリンダーヘッドに配設され、
前記第１の吸入口（１２）の前記第１の吸入弁（１４）は遠隔作動される電磁弁から構成され、
前記第２の吸入口（１３）の前記第２の吸入弁（１５）は機械的に動作可能な弁から構成され、
前記第１の吸入弁（１４）と前記第２の吸入弁（１５）とは交互に動作し、
前記第１の冷媒管路（４）と前記第２の冷媒管路（８）とが同時に動作しているかのように前記冷却システムが認識されるべく前記第１の冷媒管路（４）と前記第２の冷媒管路（８）との動作交換を素早く行うために、前記第１の吸入弁（１４）と前記第２の吸入弁（１５）との交互動作が高周波で行われることを特徴とする冷却システム。
【請求項２】
流体圧縮器（１ｃ）と関連付けられるシステムを備える流体圧縮器の吸引システムであって、
前記流体圧縮器（１ｃ）の少なくとも１つの吸入口（１１ｃ）に直接接続され、クランクケース（２ｃ）の内部に収容された少なくとも１つの流体選択装置（３ｃ）を備え、
前記流体選択装置（３ｃ）が、前記加圧された流体を少なくとも２つの供給管路（４１ｃ、４２ｃ）のうちの一方から前記流体圧縮器（１ｃ）の前記吸入口（１１ｃ）へ選択的に切り替え可能であり、
前記流体選択装置（３ｃ）が、作動圧力を高周波で切り替えることで、短期間で繰り返し作動可能であることを特徴とする吸引システム。
【請求項３】
前記流体選択装置（３ｃ）が三方／二位置空気弁を備えることを特徴とする請求項２に記載のシステム。
【請求項４】
前記流体選択装置（３ｃ）の作動がソレノイドによる電気式であることを特徴とする請求項２に記載のシステム。
【請求項５】
前記流体選択装置（３ｃ）が、単方向弁（オン／オフ）と一方向弁の相互接続を備えることを特徴とする請求項２に記載のシステム。
【発明の詳細な説明】
【技術分野】
【０００１】
本発明は、冷蔵庫、詳細には冷蔵室および冷凍庫を有する家庭用冷蔵庫の冷却システムに関し、さらにそのシステムを動作させる方法に関する。また本発明は、ここで開示する冷却における流体圧縮器の吸引システムに関する。
【背景技術】
【０００２】
冷却システムは基本的に、圧縮器、凝縮器、膨張装置および蒸発器を備えていることが知られている。冷媒（気相状態）が圧縮器で圧縮され、凝縮器へと流れ、そこで例えば空気などで冷却され、液相に移る。この高圧の冷媒は膨張装置へと流れ、そこでその圧力が低減され、次いで蒸発器へ流れ、収容物（例えば食品）から熱を吸収し、気相に移る。最後に、冷媒は圧縮器によって吸引され、こうして冷凍サイクルを終了する。
【０００３】
家庭用冷蔵庫の様々なタイプの冷凍システムが知られている。最も一般に使用されている冷却システムは、圧縮器および凝縮器を備え、この冷却システムにおいては、冷媒管路が凝縮器から出て冷凍庫の蒸発器に至り、次いで冷蔵室の蒸発器を通過し、圧縮器に戻る。
【０００４】
上述のシステムはより低コストだが、より低い温度、すなわち冷凍庫内の温度で動作するため効率が悪い。
【０００５】
他の従来技術の冷却システムとして、一方が冷凍庫内で動作し、もう一方が冷蔵室内で動作する２つの完全に独立したシステムがある。この構成は非常に高コストだが、２つの圧縮器と２つのキャパシタを有するため効率が良くなる。
【０００６】
特許文献１には、このような冷却システムの代替形態が記載されている。特許文献１は、二重蒸発器冷凍サイクル（少なくとも２つの独立した人工気候室を有する）での使用に特に適したシステムを開示している。このシステムは、単一の吸入口および単一の加圧された出口を備える単一の流体圧縮器を使用する。この吸入口は、単一の主要吸入管路からなる吸引システムにより供給され、その主要吸入管路は２つの中間吸入管路の接合部から延出されている。上記吸入管路は戻り管路とも呼ばれる（したがって特許文献１に記載の吸引システムは２本の中間戻り管路と１本の戻り最終管路を提供する）。
【０００７】
特許文献１に記載の冷却システムは図１に最も良く示されている。２つの中間吸入管路ＬＩＳ１およびＬＩＳ２の結合が一方向弁ＶＵを用いて行われ、その結果、単一の主要吸入管路ＬＰＳが圧縮器Ｃの吸入口ＥＳに接続されることが確認できる。また、図１によると、２つの中間吸入管路ＬＩＳ１およびＬＩＳ２の少なくとも一方がチェック弁（オン／オフ）ＶＢを有することが確認できる。
【０００８】
特許文献１に記載の冷凍システムの吸引システムの動作は単純である。より高圧の中間吸入管路ＬＩＳ１（チェック弁ＶＢ有）が主要吸入管路ＬＰＳに供給を行い、主要吸入管路ＬＰＳは圧縮器Ｃに供給を行う。このとき、一方向弁ＶＵは、中間吸入管路ＬＩＳ１の圧力がより低圧の中間吸入管路ＬＩＳ２に侵入しないようにする。したがって圧縮器Ｃに「高圧」が供給される。チェック弁ＶＢが中間吸入管路ＬＩＳ１の圧力を遮ると、主要吸入管路ＬＩＳ２の低圧が一方向弁ＶＵを通って主要吸入管路ＬＰＳに流入し、その後、圧縮器Ｃに至る。このタイプの吸引システムを用いると、単一の吸入口を有する単一の圧縮器が２つの異なる圧力で機能できるようになる。これにより、圧縮器Ｃが高圧と低圧の交互サイクルで機能し、そのエネルギー比を最適化することも可能になる（現況技術に存する他の配置との比較）。
【０００９】
ただし、特許文献１に記載の冷凍システムの吸引システムは大きな欠点を有する。すなわち、低圧／高圧サイクル開始時における高圧／低圧の寄生体積（parasite volume）の発生である。この寄生体積は主に、（高圧／低圧サイクルを切り替えたい場合に行われる）チェック弁ＶＢの作動時に、中間吸入管路ＬＩＳ１または主要吸入管路ＬＰＳが所望の作動圧力と対向する圧力で加圧されることにより生じる。すなわち、高圧から低圧へ切り替わるときは、中間吸入管路ＬＩＳ１は加圧されたままであり、したがって、そのサイクルの低圧で供給されることになる部分にはまだ高圧で供給が行われている。さらに、低圧から高圧へ切り替わるときは、主要吸入管路ＬＰＳは低圧で加圧されたままであり、したがって、そのサイクルの高圧で供給されることになる部分にはまだ低圧で供給が行われている。この悪い特徴は、高圧／低圧での寄生体積の発生が一定であることから、サイクル交互速度（高圧／低圧）が大きくかつ定まっていない用途では許容することができない。
【００１０】
別の、より大まかに言えば従来技術のシステム全体の欠点として、その動作に温度幅があることも認められる。すなわち、温度が事前設定された最大値に達すると、サーモスタットが圧縮器動作を停止させるために、またはその回転を低減するために（可変容量圧縮器の場合）信号を送り、温度が最低値に達すると、システムが全容量での動作に戻る。こういった変動によっても、大きな損失が生じる。
【先行技術文献】
【特許文献】
【００１１】
【特許文献１】米国特許第５，５３１，０７８号
【発明の概要】
【発明が解決しようとする課題】
【００１２】
本発明の一の目的は、低コストで高い効率を有する家庭用冷蔵庫のための冷却システムを提供することである。
【００１３】
本発明の他の目的は、高圧と低圧の交互サイクル中に高圧／低圧の寄生体積が発生しない流体圧縮器の吸引システムを提供することである。本発明のさらに別の目的は、高圧と低圧の交互サイクルを高い周波数で動作できる流体圧縮器の吸引システムを提供することである。
【課題を解決するための手段】
【００１４】
ここに記載の冷却システムは、１本の冷媒放出管によって冷凍システムの少なくとも１つの凝縮器と関連付けられる圧縮器を備え、第１の冷媒管路が凝縮器から出て圧縮器に戻り、第２の冷媒管路が凝縮器から出て圧縮器に戻る。
【００１５】
したがって、本発明によるシステムは従来の形で動作することができ、各吸入管路は低速度で、または好ましくは非常に速い速度で順次動作する。その際、別の吸入管路への吸入管路の交換動作が非常に素早い形で処理され、その結果、上記システムは２つの管路が同時に動作しているかのように認識される。
【００１６】
管路を高速で交換するという特徴により、上記システムに高い効率がもたらされ、冷蔵室および冷凍庫がほぼ一定の温度で同時に動作する。したがって、前述のように温度幅に基づいて動作する従来技術のシステムの既知の損失を回避することができる。
【００１７】
本発明によるシステムの他の利点は、各管路の動作時間を制御できることであり、それによってそれぞれに必要な容量の制御が可能になる。この弁開放時間の制御は可変容量圧縮器に関する。この組合せにより、独立した同時進行の形で各吸入管路の容量を完全に制御して、各吸入管路の広範囲にわたる性能を包含することが可能になる。
【００１８】
本発明によるシステムの他の利点として、図１に示されている従来技術システムのような２つの動作圧力を受ける１本の吸入管路が存在しない。この点からも前述の損失をなくすことができる。
【００１９】
家庭用冷凍システムに適用される往復またはリニア密閉圧縮器では、圧縮器の吸入は通常、圧縮器ハウジングと均等化される。したがって、ハウジングは同じ吸入圧力を有し、圧縮器がそのベアリングを潤滑するためのオイルを使用する場合、オイルはクランクケースに容易に戻ることができる。したがって、本発明によるシステムの別の利点として、ハウジングの内部と均等化し、さらにこの管路に入ってくるオイルがクランクケースに戻ることを可能にするための吸入管路を１つ選択することができる。均等化されない管路によって戻るオイルは、放出管路にポンプ作用で汲み戻され、もう一方の吸入管路から来る気体と混ざり、均等化された吸入管路を経由して圧縮器に戻ったときにその一部分がクランクケースへ移動する。したがって、オイルが圧縮器に戻る方法は常に存在する。潤滑油を使用しない圧縮器では、所望の場合、この２つの管路を密閉することができる。
【００２０】
本発明は、その好ましい実施形態によれば、冷蔵庫、詳細には冷蔵室および冷凍庫を含んだ家庭用冷蔵庫の冷却システムであって、冷媒放出管によって少なくとも１つの凝縮器に取り付けられた圧縮器と、上記凝縮器から出て上記圧縮器に戻る第１の冷媒管路であって、膨張装置と上記冷蔵室に配置された蒸発器とを順次担持する第１の冷媒管路と、上記凝縮器から出て上記圧縮器に戻る第２の冷媒管路であって、膨張装置と上記冷凍庫に配置された蒸発器とを順次担持する第２の冷媒管路とを備える冷却システムを開示する。上記圧縮器は少なくとも２つの吸入口を有し、上記第１の冷媒管路が上記第１の吸入口に接続され、上記第２の冷媒管路は上記第２の吸入口に接続され、両吸入口がそれぞれ吸入弁を有する。
【００２１】
上記第１の吸入口の上記吸入弁は遠隔作動弁であり、電磁弁または空気弁または油圧弁であることが好ましい。上記第２の吸入口の上記吸入弁は機械的に動作可能な弁である。上記第１および第２の吸入弁が交互に動作し、上記弁の上記交互動作が素早く行われることが好ましい。
【００２２】
上記第１および第２の冷媒管路のそれぞれの上記膨張装置が毛細管であることが好ましい。
【００２３】
少なくとも１つの入口管路が、上記圧縮器の圧縮チャンバに密閉式に結合される。少なくとも１つの入口管路が、上記圧縮器ハウジングの容積と均等化される。少なくとも１つの入口ノズルが、上記圧縮器ハウジングから隔置され、入口管路から隔たった少なくとも１つの端部を有する。
【００２４】
本発明はまた、その任意の実施形態によれば、流体圧縮器と関連付けられる流体圧縮器の吸引システムであって、上記流体圧縮器の少なくとも１つの吸入口に直接接続された少なくとも１つの流体選択装置を備えるシステムを示す。上記流体選択装置は、少なくとも２つの供給管路を受け、加圧された流体を上記少なくとも２つの供給管路のうちの一方から上記流体圧縮器の上記吸入口へ選択的に切り替えることができる。上記流体選択装置は、少なくとも１つの流体出口流路および少なくとも２つの流体入口流路を備える。上記流体選択装置は三方／二位置空気弁を備える。上記流体選択装置の作動がソレノイドによる電気式であるとより好ましい。任意で、上記流体選択装置は、単方向弁（オン／オフ）と一方向弁の相互接続を備える。
【００２５】
上記流体選択装置の上記流体入口のそれぞれが、単一の供給管路を受け、各供給管路は、もう一方の供給管路の内部圧力とは異なる内部圧力を有する。上記供給管路の少なくとも１つが密閉されていることが好ましい。また、上記供給管路少なくとも１つが、上記流体圧縮器ハウジングの圧力と均等化されることが好ましい。
【図面の簡単な説明】
【００２６】
【図１】特許文献１に記載された冷却用冷凍システムの吸引システムの概略図である（前述した指示参照記号を含む）。
【図２】本発明による冷凍システムの好ましい実施形態の図である。
【図３】閉状態にある本発明によるシステムの遠隔作動吸入弁の第１の実施形態の図である。
【図４】図３と同様の図であって、遠隔作動吸入弁が開状態にある図である。
【図５】開状態にある本発明によるシステムの遠隔作動吸入弁の第２の実施形態の図である。
【図６】閉状態にある図５の弁の図である。
【図７】可変容量圧縮器が使用された本発明によるシステムの動作チャート図である。
【図８】固定容量圧縮器が使用された本発明によるシステムの動作チャート図である。
【図９】（他の密閉吸入口に加えて）圧縮器ハウジングと均等化された吸入口を含んだ圧縮器の拡大詳細図である。
【図１０】流体圧縮器の吸引システムの任意の実施形態の概略図である。
【発明を実施するための形態】
【００２７】
図２には、本発明によるシステムが示されており、圧縮器１が、放出弁２ａから出ている１本の冷媒放出管２によって凝縮器３に取り付けられている。第１の冷媒管路４は、膨張装置５と、冷蔵室７に配置された蒸発器６とを有し、第２の冷媒管路８は、膨張装置９と、冷凍庫１１に配置された蒸発器１０とを有している。膨張装置は毛細管であることが好ましい。圧縮器１は２つの吸入口１２および１３を有し、第１の入口１２に第１の冷媒管路４が接続され、第２の入口１３に第２の冷媒管路８が接続されている。圧力は第２の管路８内よりも第１の冷媒管路４内の方が大きい。
【００２８】
遠隔作動吸入弁１４は第１の吸入口１２に配置され、この遠隔作動吸入弁は電磁弁であることが好ましい。したがって、動作中は、この電磁弁が開き、管路４の冷媒（高圧側）が圧縮チャンバを満たし、第２の吸入口１３に配設された別の吸入弁１５の開放を防止している。次いで、電磁弁１４が閉じ、冷媒が圧縮され、放出管２を通って流れる。このステップ後、電磁弁１４は閉じたままで弁１５が開き、それによって第２の管路８内の冷媒が吸引された後に、圧縮、放出されることが可能になる。
【００２９】
前述のように、吸入管路同士の動作交換は非常に素早く行われることが好ましいため、このシステムは２本の管路が同時に動作しているかのように認識される。これにより、温度幅を用いず、冷凍庫の温度がほぼ一定（例えば−１８℃など）かつ冷蔵室の温度が一定（例えば５℃など）の状態で上記システムの動作が可能になる。
【００３０】
図３に、吸入口１２に配設された電磁弁からなる遠隔作動弁１４の第１の実施形態が示されている。この図は、上記弁のコイル１６が吸入口１２の内部に取り付けられ、上記弁の対向弁座１７が圧縮チャンバ１８の内部にあり、閉状態にあることを示している。この状態では、コイル１６は作動しており、これにより電磁弁１４の開放を防止し、この図に示されているように弁１５の開放を可能にする。
【００３１】
図４には図３と同じ図が示されているが、この図ではコイル１６が励磁されておらず、電磁弁１４が開いており、吸入弁１５の開放が防止されている。図５に、電磁弁１４の第２の実施形態が示されており、コイル１６が第１の冷媒管路４に取り付けられ、対向台座１７が圧縮チャンバ１８の外側で動作する。この実施形態においては、電磁回路が吸入管路に配置されるため、シリンダ内部で使用するスペースがより小さいという利点を有する。この図では、吸入弁１５が閉じている間は、電磁弁１４が開状態にあることも認められる。弁１７が開いている間、吸入弁１８は複数回開閉することができる。
【００３２】
図６に、閉状態にある図５の弁が示されている。つまり、吸入弁１５が開いている間は、対向台座１７が吸入口１２を閉じている。
【００３３】
図７および８に、本発明によるシステムで使用される圧縮器の容量と動作時間のチャートが示されている。図７に可変容量圧縮器の動作が示されており、図８に固定容量圧縮器の動作が示されている。すでに知られているように、可変容量圧縮器は、中断すること無く動作の必要性に応じてその速度の増減のみを行って連続的に動作し、固定容量圧縮器は、図８の「ＯＦＦ」で示されている部分に従って一定の間隔でその動作を停止させる。本発明では、冷凍庫および冷蔵室がほぼ一定の温度で動作することを考慮すると、固定容量圧縮器の停止間隔が大幅に低減される。
【００３４】
前述の実施形態に加えて、同じ発明概念を、本発明を使用する他の代替形態または可能形態に適用することができる。例えば、本発明によるシステムは、各図に示されているリニア圧縮器だけでなく、任意のタイプの圧縮器を用いることができる。別の例では、上記システムは、動作温度が異なる複数の区画の複数の吸入口を有することができる。
【００３５】
図９に、圧縮器ハウジングと均等化される吸入口を含んだ圧縮器の拡大詳細図が示されている。圧縮器１ｂは、冷媒放出管（図示せず）を接続するための放出弁２ｂを備えた１つの出口ノズルと、圧縮器ハウジング１ｂの孔３１ｂに接続された入口ノズル３ｂと、圧縮器ハウジング１ｂに接続されていない第２の入口ノズル４ｂと、の３つのノズルを備えている。入口ノズル３ｂには吸入弁５ｂがある。入口ノズル４ｂには、コイル６１ｂと圧縮チャンバ７ｂの内部に配置された対向台座６２ｂを内部に含んだ電磁弁６ｂが設けられている。
【００３６】
第１の冷媒管路８ｂが、ハウジングの孔３１ｂと圧縮器１ｂとに密閉式に結合されている。
【００３７】
第２の冷媒入口９ｂが、入口ノズル４ｂの端部４１ｂと物理的に接続することなくハウジングに結合する。この構成により、冷媒入口９ｂと圧縮器ハウジング１ｂの間の圧力の均等化が可能になる。
【００３８】
強調すべきことは、（圧力の均等化および入口管路内に存在する潤滑油のハウジング内部への最終的な戻りを可能にするため）上記システムに存在する可能性がある入口管路の量に関係なく、本明細書で企図されている発展形態によると、このような管路のうち少なくとも１つの管路の少なくとも１つの入口が、第２の冷媒入口９ｂの構成に類似した構成を有していることである。
【００３９】
（任意の実施形態）
本発明の目的によると、前述の実施形態を任意選択する実施形態も呈示される。
【００４０】
この任意の実施形態によると、図１０に示されているように、単一の吸入口を有する流体圧縮器の吸引システムが提示される。この吸引システムを用いると、単一の吸入口を有する圧縮器が前述の２つの吸入口を有する圧縮器と同様に動作することが可能になり、したがって、この流体圧縮器の吸引システムを、冷蔵庫、詳細には冷蔵室および冷凍庫を有する家庭用冷蔵庫の冷却システムに実装することもできる。ただし、この流体圧縮器の吸引システムの適用に制限はない。
【００４１】
図１０に、流体圧縮器の吸引システムが概略的に示されている。この図では、流体圧縮器１ｃ（電気式タイプのものであることが好ましい）がクランクケース２ｃの内部に収容され、少なくとも１つの吸入口１１ｃおよび少なくとも１つの流体出口１２Ｃを有することがわかる。
【００４２】
また、図１０によれば、注目すべきは、流体圧縮器の吸引システム自体が、少なくとも１つの流体出口流路３１ｃおよび少なくとも２つの流体入口流路３２ｃを提供する少なくとも１つの流体選択装置３ｃを備えていることである。
【００４３】
流体選択装置３ｃの流体出力３１ｃは、流体圧縮器１ｃの少なくとも１つの吸入口１１ｃのうちの１つに直接接続される。
【００４４】
流体入口３２ｃのそれぞれが、単一の管路および／または流体管４１ｃ、４２ｃを受ける。管路および／または流体管４１ｃ、４２ｃのそれぞれは、それ自体が内部圧力を有しており、この内部圧力はもう一方の管路および／または流体管４１ｃ、４２ｃの内部圧力と異なることが好ましい。これにより、流体圧縮器１ｃが異なる供給圧力で機能することが可能になる。
【００４５】
流体選択装置３ｃは、ソレノイドにより電気的に駆動される三方／二位置空気弁を備えている。ソレノイドは遠隔作動されることが好ましい。
【００４６】
管路および／または配管４１Ｃ（高圧）は流体入口流路３２ｃのいずれかに接続され、管路および／または配管４２ｃ（低圧）はもう一方の流体入口流路３２ｃに接続されている。流体選択装置３ｃの流体出口流路３１ｃが流体圧縮器１ｃの少なくとも１つの吸入口１１ｃに直接接続されることにも留意されたい。
【００４７】
管路および／または配管４１ｃ、４２ｃのうちの１つが（外部環境から隔離された加圧流体により）密閉される一方、もう一方の管路および／または配管４１ｃ、４２ｃは流体圧縮器１ｃのハウジングと均等化されることが好ましい。
【００４８】
ここで提案される流体圧縮器の吸引システムの動作は以下の通りである。流体選択装置３ｃは作動時において、加圧された流体を管路または管４１ｃ、４２ｃから流体圧縮器１ｃ内に選択的に方向付け、そこで加圧された流体の圧縮および排出という従来のプロセスが行われる。
【００４９】
流体選択装置３ｃの流体出口３１ｃと流体圧縮器１ｃの吸入口１１ｃの間の直接接続により、高圧と低圧の交互サイクル中の高圧／低圧での寄生体積の可能性はなくなる。これにより、管路および／または管４１ｃ、４２ｃを介して選択的に得られる作動圧力を（高い周波数で）切り替えて、流体選択装置３ｃを短い期間で繰り返し作動させることができる。
【００５０】
任意で、流体選択装置３ｃはさらに（三方／二位置空気弁の代わりに）、単方向弁（オン／オフ）と一方向弁の相互接続を備えることができる。単方向切換弁は遠隔作動によるソレノイドにより実現されることが好ましい。
【００５１】
また、強調すべきことは、単方向弁（オン／オフ）と一方向弁の相互接続（少なくとも２つの入口流路および１つの出口流路を有する）が、流体圧縮器１ｃの少なくとも１つの吸入口１１ｃに直接接続されることである。
【００５２】
本発明の特定の例について説明したが、その範囲は他の可能な変形形態を包含し、請求項の文言だけによって限定され、可能な均等物を含むことを理解されたい。
【符号の説明】
【００５３】
１：圧縮器、１ｂ：圧縮器、１ｃ：流体圧縮器、２：冷媒放出管、２ａ：放出弁、２ｂ：放出弁、２ｃ：クランクケース、３：凝縮器、３ｂ：入口ノズル、３ｃ：流体選択装置、３１ｂ：孔、３１ｃ：流体出口流路、３２ｃ：流体入口流路、４：第１の冷媒管路、４ｂ：第２の入口ノズル、５：膨張装置、５ｂ：吸入弁、６：蒸発器、６ｂ：電磁弁、６１ｂ：コイル、６２ｂ：対向台座、７：冷蔵室、７ｂ：圧縮チャンバ、８：第２の冷媒管路、８ｂ：第１の冷媒管路、９：膨張装置、９ｂ：第２の冷媒入口、１０：蒸発器、１１：冷凍庫、１１ｃ：吸入口、１２：第１の吸入口、１２Ｃ：流体出口、１３：第２の吸入口、１４：遠隔作動吸入弁、１５：吸入弁、１６：コイル、１７：対向台座、１８：圧縮チャンバ
【図１】
0006023043.tif 000002
【図２】
0006023043.tif 000003
【図３】
0006023043.tif 000004
【図４】
0006023043.tif 000005
【図５】
0006023043.tif 000006
【図６】
0006023043.tif 000007
【図７】
0006023043.tif 000008
【図８】
0006023043.tif 000009
【図９】
0006023043.tif 000010
【図１０】
0006023043.tif 000011